(57)【要約】【課題】意匠性を損なうことなく、また、ボタンの文字の視認性を損なうことなく、安価に防滴性能を有する操作ボタン装置を実現する。【解決手段】操作ボタン５の前面に、シリコンゴムに比べれば経年劣化により変色しにくい透明又は半透明の樹脂製の防滴キャップ２を配置して、防滴キャップ２のみが操作ボタン５を覆い、防滴キャップ２は時間が経過しても変色がないので、利用者が注視する操作ボタンの記号の視認性は落ちず、また、防滴キャップ２の周りを防滴性のあるシリコンゴム製の防滴シートが取り囲むことで、防滴キャップ２及び防滴シート３により水滴が内部に入らない防滴構造を得ることができる。【選択図】図２
2009102147.tif 000002
【特許請求の範囲】
【請求項１】
正面を有する操作ボタンと、
正面と背面を有し、前記操作ボタンの正面に前記背面が近接して配置され、前記正面が前記操作ボタンの正面を覆う樹脂製の防滴キャップと、
前記防滴キャップの正面及び背面以外の面から前記防滴キャップを取り囲む防滴シートとを備えることを特徴とする操作ボタン装置。
【請求項２】
前記防滴キャップは、
前記正面及び前記背面以外の面に、前記防滴シートの厚みに合わせたはめ込みスリットを有し、
前記防滴シートは、
前記防滴キャップのはめ込みスリットにはめ込まれて前記防滴キャップを取り囲むことを特徴とする請求項１に記載の操作ボタン装置。
【請求項３】
前記防滴シートは、
前記防滴キャップの正面の形状と略同一形状の開口部を有し、前記開口部が前記防滴キャップのはめ込みスリットにはめ込まれることを特徴とする請求項２に記載の操作ボタン装置。
【請求項４】
前記防滴キャップは、
光を透過する樹脂製であることを特徴とする請求項１〜３のいずれかに記載の操作ボタン装置。
【請求項５】
前記防滴キャップは、
シリコンゴムと比較して経年劣化により変色しにくい樹脂製であることを特徴とする請求項１〜４のいずれかに記載の操作ボタン装置。
【請求項６】
前記防滴キャップは、
凸文字ボタンキャップが装着可能であることを特徴とする請求項１〜５のいずれかに記載の操作ボタン装置。
【発明の詳細な説明】
【技術分野】
【０００１】
本発明は、例えば、操作ボタン装置の防滴構造に関し、特にエレベータ乗場又はエレベータかごの操作ボタン装置の防滴構造に関する。
【背景技術】
【０００２】
従来のエレベータの押しボタン用防滴・防塵装置としては、凸記号を付加した操作フィルムをフェースプレートに貼り付けたり、爪で固定して操作フィルムで押しボタンを覆う構成が開示されている（特許文献１参照）。
【０００３】
また、弾性体で押し上げる方式でフェースプレートに固定された防滴性を有する押しボタン装置が開示されている（特許文献２参照）。
【特許文献１】特開２００６−２４０８１３号公報
【特許文献２】特開２００５−１６２４４３号公報
【発明の開示】
【発明が解決しようとする課題】
【０００４】
上述した特許文献に記載されている従来の防滴性のエレベータ押しボタンは、フェースプレート上面に操作フィルムを貼り付ける等で構成されており、意匠性が悪くかつ操作フィルムが剥がされる等のイタズラに対しての耐力がないという課題があった。
また、新たに金型等を製作しなくてはならなく、イニシャルコスト面でも課題があった。
【０００５】
さらに、従来のエレベータの押しボタン装置としては、防滴のために、例えば、フェースプレートと押しボタンの間にシリコンゴムを挟んだ構成のものもある。
このような構成の場合、経年劣化によりシリコンゴムが変色して（シリコンゴムの透明性がなくなり）シリコンゴムの奥に配置されているボタンの文字が見えなくなるという課題がある。
【０００６】
この発明は、上述のような問題を解決することを主な目的の一つとしており、意匠性を損なうことなく、また、ボタンの文字の視認性を損なうことなく、安価に防滴性能を有する操作ボタン装置を実現することを主な目的とする。
【課題を解決するための手段】
【０００７】
本発明に係る操作ボタン装置は、
正面を有する操作ボタンと、
正面と背面を有し、前記操作ボタンの正面に前記背面が近接して配置され、前記正面が前記操作ボタンの正面を覆う樹脂製の防滴キャップと、
前記防滴キャップの正面及び背面以外の面から前記防滴キャップを取り囲む防滴シートとを備えることを特徴とする。
【発明の効果】
【０００８】
本発明によれば、操作ボタンの前面に樹脂製の防滴キャップを配置して、防滴キャップのみが操作ボタンを覆い、防滴キャップは時間が経過しても変色がないので、利用者が注視する操作ボタンの記号の視認性は落ちず、また、防滴キャップの周りを防滴シートが取り囲むことで、防滴キャップ及び防滴シートにより水滴が内部に入らない防滴構造を得ることができ、これにより、意匠性を損なうことなく、また、ボタンの記号の視認性を損なうことなく、安価に防滴性能を有する操作ボタン装置を実現することができる。
【発明を実施するための最良の形態】
【０００９】
実施の形態１．
本実施の形態では、操作ボタン装置の例として、雨水等が浸入する可能性のあるエレベータ乗り場に設置される操作ボタン装置を例にして説明を行う。
【００１０】
図１は、本実施の形態に係る操作ボタン装置の構成例を示す正面図である。
図２は、図１のＡ−Ａ線に沿った操作ボタン装置の断面図である。
図３は、図１のＢ−Ｂ線に沿った操作ボタン装置の断面図である。
図４は、本実施の形態に係る操作ボタン装置の組み立て手順を示した図である。
図５は、操作ボタン装置の構成要素である防滴シートの例を説明する図である。
図６は、操作ボタン装置の構成要素である防滴シートと防滴キャップを組み合わせた図である。
【００１１】
図中、１はフェースプレート、２は樹脂製の防滴キャップ、３は伸縮性のあるゴム製（例えばシリコンゴム製）の防滴シート、４は防滴シート密着取付ブラケット、５は操作ボタン、７はスタット、８はナットである。
【００１２】
操作ボタン５は、利用者により押下されて点灯する点灯部５ａと、点灯部５ａが取り付けられている基板部５ｂとから構成される。
操作ボタン５には、正面がある。操作ボタン５の正面は点灯部５ａにおいて防滴キャップに対向する面（図２における点灯部５ａの左側の面）である。
また、操作ボタン５の正面部分に記号（上方を意味する上向きの矢印や番号等）が示されている。
また、防滴キャップ２に、このような記号が示されていてもよい。
【００１３】
防滴キャップ２は、例えば、アクリル樹脂、ポリカーボネート樹脂、ポリエチレン樹脂、エポキシ樹脂等の合成樹脂製であり、操作ボタン５からの光を透過する性質を有することが望ましく、例えば透明又は半透明である。
また、シリコンゴムと比較して経年劣化により変色しにくい樹脂製であることが望ましい。
また、防滴キャップ２は、正面と背面を有している。
正面とは、利用者の側の面（図２における防滴キャップ２の左側の面）であり、背面とは操作ボタン５の正面に対向する面（図２における防滴キャップ２の右側の面）である。
つまり、防滴キャップ２は、図２及び図３に示すように、操作ボタン５の正面に背面が近接して配置され、正面が操作ボタン５の正面を覆う構成となっている。
【００１４】
また、防滴キャップ２は、図４及び図６に示すように、正面及び背面以外の面（端面ともいう）に、防滴シート３の厚みに合わせたはめ込みスリット２ａを有する。
また、図４及び図５に示すように、防滴シート３は、防滴キャップ２の正面の形状と略同一形状の開口部を有している。
このため、図５に示すように、防滴シート３を軽く引張り、防滴キャップ２の端面全周に設けられたはめ込みスリット２ａに防滴シートの開口部をはめ込むことで、図６に示すように、防滴キャップ２の正面及び背面以外の面から防滴シート３が防滴キャップ２を取り囲む構成とすることができる。
【００１５】
そして、図４、図６に示すように、はめ込みスリット２ａにおいてはめ込まれている防滴キャップ２と防滴シート３を図１〜図３に示すように防滴シート密着取付ブラケット４とフェースプレート１で挟み込み、更にフェースプレート１に設けられたスタット７とナット８で固定する構造をとることで防滴性を確保する。
【００１６】
つまり、本実施の形態の操作ボタン装置では、操作ボタン５の前面にシリコンゴムに比べれば経年劣化により変色しにくい透明又は半透明の樹脂製の防滴キャップ２を配置して、防滴キャップ２のみが操作ボタン５を覆い、防滴キャップ２は時間が経過しても変色がないので、利用者が注視する操作ボタンの記号の視認性は落ちず、また、防滴キャップ２の周りを防滴性のあるシリコンゴム製の防滴シートが取り囲むことで、防滴キャップ２及び防滴シート３により水滴が内部に入らない防滴構造を得ることができる。
【００１７】
このように、防滴キャップ２は透明（又は半透明）樹脂で構成されているため、従来のようにシリコンゴムが表面に現れることがなく、このため、経年劣化により視認性が落ちることがなく、防滴性のある操作ボタン装置を得ることができる。
【００１８】
以上のように、本実施の形態によれば、エレベータの操作表示ボタン装置等の操作ボタン装置において、意匠性及び視認性を損なうことなく、安価に防滴性能を有する操作ボタン装置を得ることができる。
【００１９】
以上、本実施の形態では、例えば、ゴムシートと透明（又は半透明）樹脂キャップとで構成された防滴機構で操作ボタンを覆うことで、防滴性のある操作ボタン装置を実現することを説明した。
【００２０】
実施の形態２．
以上の実施の形態１に示した構成に加えて、例えば、図７に示すように、防滴キャップ２に既存のボタンキャップが取付くようにしたボタン用スリット２ｂを設け、図８に示すように既存の凸文字ボタンキャップ９を取り付けることを可能にしている。
凸文字ボタンキャップ９は、操作ボタン５の記号を立体的にした凸文字を表面に設けているので、視覚障害者が凸文字に触れることによって操作ボタン５の記号を理解できるというキャップである。
これにより、防滴キャップ２のはめ込みスリット２ａに防滴シート３をはめ込んで防滴構造とするとともに、防滴キャップ２のボタン用スリット２ｂにより既存の凸文字ボタンキャップ９を防滴キャップ２の正面に装着することが可能である。
【００２１】
このように、本実施の形態によれば、意匠性を損なうことなく健常者と視覚障害者ともに利用できるの防滴性を持った操作ボタン装置を提供できる。
【００２２】
以上、本実施の形態では、防滴構造にキャップが装着可能な操作ボタン装置について説明した。
これにより、既存のあらゆるボタンキャップを本防滴構造に装着可能にすることで意匠性を損なうことなく、かつ様々な意匠に容易に変更ができ、かつ凸文字ボタンキャップを装着した際には視覚障害にも利用可能にできる。
【００２３】
なお、以上の実施の形態１及び２における説明では、エレベータ乗場の操作ボタン装置を例にして説明したが、これに限ることなく、エレベータかご内の操作ボタン装置にも適用可能であるし、その他あらゆる種類の操作ボタン装置に適用可能である。
【００２４】
また、以上の実施の形態１及び２における説明では、主に操作ボタン装置の防滴を目的とする例を説明したが、実施の形態１及び２に示した防滴構造が防塵の機能を併せ持つことは明らかであり、上記の防滴構造を防塵の目的に用いてもよい。
【図面の簡単な説明】
【００２５】
【図１】実施の形態１に係る操作ボタン装置の構成例を示す正面図。
【図２】実施の形態１に係る操作ボタン装置の構成例を示すＡ−Ａ断面図。
【図３】実施の形態１に係る操作ボタン装置の構成例を示すＢ−Ｂ断面図。
【図４】実施の形態１に係る防滴キャップに防滴シートをはめ込む手順を説明する図。
【図５】実施の形態に係る防滴シートの例を示す図。
【図６】実施の形態１に係る防滴キャップに防滴シートがはめ込まれた状態を示す図。
【図７】実施の形態２に係る防滴キャップの構成例を示す図。
【図８】実施の形態２に係る防滴キャップに凸文字ボタンキャップが装着された状態を示す図。
【符号の説明】
【００２６】
１  フェースプレート、２  防滴キャップ、２ａ  はめ込みスリット、２ｂ  ボタン用スリット、３  防滴シート、４  防滴シート密着取付ブラケット、５  操作ボタン、７  スタット、８  ナット、９  凸文字ボタンキャップ。
【図１】
2009102147.tif 000003
【図２】
2009102147.tif 000004
【図３】
2009102147.tif 000005
【図４】
2009102147.tif 000006
【図５】
2009102147.tif 000007
【図６】
2009102147.tif 000008
【図７】
2009102147.tif 000009
【図８】
2009102147.tif 000010